(57)【要約】【課題】第１液晶パネルと第２液晶パネルとを重ね合わせる構成においても、表示画面に表示される画像にモアレが発生するのを抑制することが可能な液晶表示装置を提供する。【解決手段】この液晶表示装置１００は、液晶層１１ａと、カラーフィルタ１３およびブラックマトリクス１４を含む液晶パネル１００ａと、液晶パネル１００ａと重なるように配置され、液晶層１１ｂを含み、カラーフィルタおよびブラックマトリクスを含まない液晶パネル１００ｂとを備える。【選択図】図２
2010066353.tif 000002
【特許請求の範囲】
【請求項１】
第１液晶層と、少なくともカラーフィルタおよびブラックマトリクスのいずれかを含む第１液晶パネルと、
前記第１液晶パネルと重なるように配置され、第２液晶層を含み、カラーフィルタおよびブラックマトリクスを含まない第２液晶パネルとを備える、液晶表示装置。
【請求項２】
前記第１液晶パネルと前記第２液晶パネルとの間に設けられる第１偏光板をさらに備え、
前記第１液晶パネルと前記第１偏光板とは、第１接着層により接着され、
前記第２液晶パネルと前記第１偏光板とは、第２接着層により接着されている、請求項１に記載の液晶表示装置。
【請求項３】
前記第１液晶パネルは、第１薄膜トランジスタが設けられる第１基板を含み、
前記第２液晶パネルは、第２薄膜トランジスタが設けられる第２基板を含み、
前記第１基板は、前記第１液晶層の前記第２液晶パネル側に配置され、
前記第２基板は、前記第２液晶層の前記第１液晶パネル側に配置されている、請求項１または２に記載の液晶表示装置。
【請求項４】
前記第１基板または前記第２基板のうち少なくとも一方の基板上には、画素電極および共通電極が設けられている、請求項３に記載の液晶表示装置。
【請求項５】
前記画素電極は、前記第１基板の前記第１薄膜トランジスタ側の表面上に設けられた第１画素電極と、前記第２基板の前記第２薄膜トランジスタ側の表面上に設けられた第２画素電極とを含み、
前記共通電極は、前記第１基板の前記第１薄膜トランジスタ側の表面上に設けられた第１共通電極と、前記第２基板の前記第２薄膜トランジスタ側の表面上に設けられた第２共通電極とを含む、請求項４に記載の液晶表示装置。
【請求項６】
前記第２液晶層を挟んで前記第２基板と対向するように設けられる対向基板と、
前記対向基板の前記第２液晶層側とは反対側の表面に配置され、静電気を逃がすための導電層とをさらに備える、請求項４または５に記載の液晶表示装置。
【請求項７】
前記第１液晶パネルと前記第２液晶パネルとの間に設けられる第１偏光板と、
前記第１液晶パネルの前記第２液晶パネルとは反対側に設けられる第２偏光板と、
前記第２液晶パネルの前記第１液晶パネルとは反対側に設けられる第３偏光板とをさらに備え、
前記第２偏光板および前記第３偏光板の偏光軸は、前記第１偏光板の偏光軸と略垂直に交差している、請求項１〜６のいずれか１項に記載の液晶表示装置。
【請求項８】
前記第１液晶パネルは、複数の第１画素を含み、
前記第２液晶パネルは、複数の第２画素を含み、
前記第１液晶パネルの前記第１画素は、複数の副画素で構成され、
前記複数の副画素からなる前記第１画素毎に、１つの前記第２画素が配置されている、請求項１〜７のいずれか１項に記載の液晶表示装置。
【発明の詳細な説明】
【技術分野】
【０００１】
本発明は、液晶表示装置に関し、特に、第１液晶パネルと第２液晶パネルとを備える液晶表示装置に関する。
【背景技術】
【０００２】
従来、第１液晶パネルと第２液晶パネルとを備える液晶表示装置が知られている（たとえば、特許文献１参照）。上記特許文献１に開示される液晶表示装置では、第１液晶パネルと第２液晶パネルとを重ね合わせることにより、第１液晶パネルのコントラストと第２液晶パネルのコントラストとの積に相当するコントラストを得ることが可能となる。なお、第１液晶パネルと第２液晶パネルとには、それぞれ、カラーフィルタおよびブラックマスク（ブラックマトリクス）が備えられており、第１液晶パネルと第２液晶パネルとのそれぞれにおいて、カラー表示ができるように構成されている。
【特許文献１】特開２００７−３１０１６１号公報
【発明の開示】
【発明が解決しようとする課題】
【０００３】
しかしながら、上記特許文献１に記載の液晶表示装置では、第１液晶パネルと第２液晶パネルとを重ね合わせる際に、第１液晶パネルと第２液晶パネルとがずれた状態で重ねられる場合がある。この場合には、第１液晶パネルのカラーフィルタやブラックマトリクスおよび第２液晶パネルのカラーフィルタやブラックマトリクスにより透過する光が干渉して、表示画面に表示される画像にモアレが発生するという問題点がある。
【０００４】
この発明は、上記のような課題を解決するためになされたものであり、この発明の１つの目的は、第１液晶パネルと第２液晶パネルとを重ね合わせる構成においても、表示画面に表示される画像にモアレが発生するのを抑制することが可能な液晶表示装置を提供することである。
【課題を解決するための手段】
【０００５】
上記目的を達成するために、この発明の一の局面における液晶表示装置は、第１液晶層と、少なくともカラーフィルタおよびブラックマトリクスのいずれかを含む第１液晶パネルと、第１液晶パネルと重なるように配置され、第２液晶層を含み、カラーフィルタおよびブラックマトリクスを含まない第２液晶パネルとを備える。
【０００６】
この一の局面による液晶表示装置では、上記のように、第１液晶層と、カラーフィルタおよびブラックマトリクスのいずれかを含む第１液晶パネルと、第２液晶層を含み、カラーフィルタおよびブラックマトリクスを含まない第２液晶パネルとを備えることによって、第２液晶パネルにカラーフィルタやブラックマトリクスが設けられている場合と異なり、第１液晶パネルと第２液晶パネルとがずれた状態で重ね合わされても、第１液晶パネルと第２液晶パネルとを透過する光が干渉するのを抑制することができる。これにより、第１液晶パネルと第２液晶パネルとを重ね合わせる構成においても、表示画面に表示される画像にモアレが発生するのを抑制することができる。また、カラーフィルタおよびブラックマトリクスを含まずに第２液晶層を含む第２液晶パネルを備えることによって、第２液晶パネルにカラーフィルタおよびブラックマトリクスを設けない分、第２液晶パネルの遮光領域が小さくなるので、第２液晶パネルを透過する光の透過率を大きくすることができる。
【０００７】
上記一の局面による液晶表示装置において、好ましくは、第１液晶パネルと第２液晶パネルとの間に設けられる第１偏光板をさらに備え、第１液晶パネルと第１偏光板とは、第１接着層により接着され、第２液晶パネルと第１偏光板とは、第２接着層により接着されている。このように構成すれば、第１偏光板と第１液晶パネルとを第１接着層により固定することができるとともに、第１偏光板と第２液晶パネルとを第２接着層により固定することができる。これにより、第１液晶パネルと第２液晶パネルとを重ね合わせた状態で固定することができる。
【０００８】
上記一の局面による液晶表示装置において、好ましくは、第１液晶パネルは、第１薄膜トランジスタが設けられる第１基板を含み、第２液晶パネルは、第２薄膜トランジスタが設けられる第２基板を含み、第１基板は、第１液晶層の第２液晶パネル側に配置され、第２基板は、第２液晶層の第１液晶パネル側に配置されている。このように構成すれば、第１基板の第１薄膜トランジスタと、第２基板の第２薄膜トランジスタとの距離を小さくすることができるので、たとえば、第１薄膜トランジスタと第２薄膜トランジスタとに配線を設けた場合に、第１薄膜トランジスタと第２薄膜トランジスタとに接続する配線を短くすることができる。
【０００９】
この場合、好ましくは、第１基板または第２基板のうち少なくとも一方の基板上には、画素電極および共通電極が設けられている。このように構成すれば、第１液晶パネルまたは第２液晶パネルのうちの一方をＦＦＳ（Ｆｒｉｎｇｅ  Ｆｉｅｌｄ  Ｓｗｉｔｃｈｉｎｇ）やＩＰＳ（Ｉｎ  Ｐｌａｎｅ  Ｓｗｉｔｃｈｉｎｇ）などの横電界モードで構成することができるので、視野角を大きくすることができる。
【００１０】
上記第１基板または第２基板のうち少なくとも一方の基板上に画素電極および共通電極が設けられている液晶表示装置において、好ましくは、画素電極は、第１基板の第１薄膜トランジスタ側の表面上に設けられた第１画素電極と、第２基板の第２薄膜トランジスタ側の表面上に設けられた第２画素電極とを含み、共通電極は、第１基板の第１薄膜トランジスタ側の表面上に設けられた第１共通電極と、第２基板の第２薄膜トランジスタ側の表面上に設けられた第２共通電極とを含む。このように構成すれば、第１液晶パネルおよび第２液晶パネルの両方を横電界モードで構成することができるので、視野角をより大きくすることができる。
【００１１】
上記第１基板または第２基板のうち少なくとも一方の基板上に画素電極および共通電極が設けられている液晶表示装置において、好ましくは、第２液晶層を挟んで第２基板と対向するように設けられる対向基板と、対向基板の第２液晶層側とは反対側の表面に配置され、静電気を逃がすための導電層とをさらに備える。このように構成すれば、液晶パネルに帯電した静電気を逃がすことができるので、静電気に起因する液晶表示装置の動作不良を抑制することができる。
【００１２】
上記一の局面による液晶表示装置において、好ましくは、第１液晶パネルと第２液晶パネルとの間に設けられる第１偏光板と、第１液晶パネルの第２液晶パネルとは反対側に設けられる第２偏光板と、第２液晶パネルの第１液晶パネルとは反対側に設けられる第３偏光板とをさらに備え、第２偏光板および第３偏光板の偏光軸は、第１偏光板の偏光軸と略垂直に交差している。このように構成すれば、第１偏光板と第２偏光板とをクロスニコルの状態に配置することができるとともに、第１偏光板と第３偏光板とをクロスニコルの状態に配置することができるので、第３偏光板を透過した光を第１偏光板で遮光することができるとともに、第１偏光板を透過した光を第２偏光板でさらに遮光することができる。これにより、第１液晶パネルおよび第２液晶パネルを透過する光の遮光性能を向上させることができる。
【００１３】
上記一の局面による液晶表示装置において、好ましくは、第１液晶パネルは、複数の第１画素を含み、第２液晶パネルは、複数の第２画素を含み、第１液晶パネルの第１画素は、複数の副画素で構成され、複数の副画素からなる第１画素毎に、１つの第２画素が配置されている。このように構成すれば、複数の副画素に、たとえば、赤（Ｒ）、緑（Ｇ）、青（Ｂ）のカラーフィルタを設けることによって、加法混色によりカラー画像を表示することができる。
【発明を実施するための最良の形態】
【００１４】
以下、本発明の実施形態を図面に基づいて説明する。
【００１５】
（第１実施形態）
図１は、本発明の第１実施形態による液晶表示装置の平面図である。図２は、図１の液晶表示装置の拡大断面図である。図３は、本発明の第１実施形態による液晶表示装置の偏光板の偏光方向を説明するための図である。図４は、本発明の第１実施形態による液晶表示装置の画素（副画素）の断面図である。まず、図１〜図４を参照して、本発明の第１実施形態による液晶表示装置１００の構成について説明する。
【００１６】
第１実施形態による液晶表示装置１００は、図２に示すように、メインセルである液晶パネル１００ａ、および、サブセルである液晶パネル１００ｂを重ね合わせることにより構成されている。なお、液晶パネル１００ａおよび液晶パネル１００ｂは、それぞれ、本発明の「第１液晶パネル」および「第２液晶パネル」の一例である。液晶パネル１００ａ（１００ｂ）は、図１に示すように、ガラスからなる基板１ａ（１ｂ）上に、表示部２、Ｖドライバ３、Ｈドライバ４が設けられている。また、Ｖドライバ３およびＨドライバ４には、それぞれ、複数のゲート線５および複数のデータ線６が接続されている。なお、基板１ａは、本発明の「第１基板」の一例であり、基板１ｂは、本発明の「第２基板」の一例である。また、ゲート線５とデータ線６とが交差する位置に画素７（７ｂ）が配置されている。なお、画素７および７ｂは、それぞれ、本発明の「第１画素」および「第２画素」の一例である。また、基板１ａ（１ｂ）には、駆動ＩＣ８が設けられており、Ｖドライバ３およびＨドライバ４は、駆動ＩＣ８に接続されている。また、表示部２は、駆動ＩＣ８に接続されており、後述する共通電極３１ａ（３１ｂ）に共通電位（ＣＯＭ）を供給するように構成されている。
【００１７】
また、図２に示すように、液晶パネル１００ａでは、基板１ａと対向するように対向基板１０ａが設けられており、基板１ａと対向基板１０ａとの間には、液晶層１１ａが設けられている。なお、液晶層１１ａは、本発明の「第１液晶層」の一例である。
【００１８】
ここで、第１実施形態では、偏光板９と基板１ａとは、ＵＶ硬化性樹脂または熱硬化性樹脂からなる樹脂接着剤１２ａによって接着されている。また、偏光板９と対向基板１０ｂとは、ＵＶ硬化性樹脂または熱硬化性樹脂からなる樹脂接着剤１２ｂによって接着されている。なお、偏光板９は、本発明の「第１偏光板」の一例である。また、樹脂接着剤１２ａは、本発明の「第１接着層」の一例であり、樹脂接着剤１２ｂは、本発明の「第２接着層」の一例である。また、両面に糊（粘着剤）が塗布された偏光板９を使用して、偏光板９および基板１ａと、偏光板９および対向基板１０ｂとを貼り合わせてもよい。
【００１９】
また、対向基板１０ａと液晶層１１ａとの間には、赤（Ｒ）、緑（Ｇ）および青（ｂ）の色のカラーフィルタ１３が形成されている。なお、第１実施形態では、対向基板１０ｂと、後述する液晶層１１ｂとの間には、カラーフィルタは設けられない。また、液晶層１１ｂは、本発明の「第２液晶層」の一例である。また、対向基板１０ａの表面上には、赤（Ｒ）、緑（Ｇ）および青（ｂ）の色のカラーフィルタ１３を分割するように、ブラックマトリクス１４が設けられている。なお、第１実施形態では、対向基板１０ｂと、液晶層１１ｂとの間には、ブラックマトリクスは設けられない。また、１つの画素７は、赤（Ｒ）のカラーフィルタ１３を有する副画素７ａと、緑（Ｇ）のカラーフィルタ１３を有する副画素７ａと、青（ｂ）のカラーフィルタ１３を有する副画素７ａとの３つの副画素７ａによって構成されている。
【００２０】
また、対向基板１０ａの液晶層１１ａ側と反対の側の表面上には、偏光板１５ａが設けられている。なお、偏光板１５ａは、本発明の「第２偏光板」の一例である。また、液晶パネル１００ｂでは、基板１ｂと対向するように対向基板１０ｂが設けられており、基板１ｂと対向基板１０ｂとの間には、液晶層１１ｂが設けられている。なお、基板１ｂは、本発明の「第２基板」の一例であり、対向基板１０ｂは、本発明の「対向基板」の一例である。
【００２１】
また、基板１ｂの液晶層１１ｂ側と反対の側の表面上には、偏光板１５ｂが設けられている。なお、偏光板１５ｂは、本発明の「第３偏光板」の一例である。また、第１実施形態では、図３に示すように、偏光板１５ａおよび偏光板１５ｂの偏光軸（偏光方向）は、偏光板９の偏光軸（偏光方向）と垂直（９０°）に交差するように配置されている。これにより、偏光板９と偏光板１５ａとは、クロスニコルの状態に配置され、偏光板９と偏光板１５ｂとは、クロスニコルの状態に配置される。
【００２２】
また、第１実施形態では、図２に示すように、液晶パネル１００ｂの画素７ｂは、液晶パネル１００ａの３つの副画素７ａ毎に１つ配置されている。また、画素７ｂ（液晶パネル１００ｂ）に対向するようにバックライト１６が設けられている。バックライト１６は、液晶パネル１００ｂ側から液晶パネル１００ａ側およびに向けて光が出射されるように構成されている。
【００２３】
次に、図４を参照して、本発明の第１実施形態による副画素７ａ（画素７ｂ）の詳細な構成について説明する。
【００２４】
図４に示すように、基板１ａ（１ｂ）の表面上には、バッファ膜２１が形成されている。このバッファ膜２１は、シリコン酸化膜やシリコン窒化膜などからなる。また、バッファ膜２１の表面上の画素選択用の薄膜トランジスタ（ＴＦＴ）２２が形成される領域には、能動層２３が形成されている。なお、薄膜トランジスタ（ＴＦＴ）２２は、本発明の「第１薄膜トランジスタ」および「第２薄膜トランジスタ」の一例である。また、能動層２３は、ポリシリコンなどからなる。また、バッファ膜２１の表面上には、能動層２３を覆うように絶縁膜２４が形成されている。なお、絶縁膜２４の能動層２３に位置する部分は、ゲート絶縁膜として機能する。この絶縁膜２４は、シリコン酸化膜やシリコン窒化膜からなる。また、ゲート絶縁膜として機能する絶縁膜２４の表面上には、ゲート電極として機能するゲート線５が形成されている。このゲート線５は、クロムやモリブデンを含む金属などからなる。また、絶縁膜２４およびゲート線５の表面上には、層間絶縁膜２５が形成されている。
【００２５】
また、層間絶縁膜２５には、能動層２３のソース領域２３ａを露出するためのコンタクトホール２４ａおよびドレイン領域２３ｂを露出するためのコンタクトホール２４ｂが形成されている。また、コンタクトホール２４ａを介してソース領域２３ａに接続するとともに、層間絶縁膜２５の表面上に延びるようにデータ線６が形成されている。このデータ線６は、アルミニウムやアルミニウム合金を含む金属などからなる。また、コンタクトホール２４ｂを介してドレイン領域２３ｂに接続するとともに、層間絶縁膜２５の表面上に延びるようにドレイン電極２６が形成されている。このドレイン電極２６は、アルミニウムやアルミニウム合金を含む金属などからなる。また、ドレイン電極２６および層間絶縁膜２５の表面上には、絶縁膜からなるパッシベーション膜２７が形成されている。また、薄膜トランジスタ２２は、ソース領域２３ａおよびドレイン領域２３ｂを含む能動層２３と、ドレイン電極２６と、ゲート電極（ゲート線５）とから構成されている。この薄膜トランジスタ２２は、画素電極２９ａ（２９ｂ）に接続されている。
【００２６】
また、パッシベーション膜２７の表面上には、絶縁膜からなる平坦化膜２８が形成されている。また、パッシベーション膜２７および平坦化膜２８には、コンタクトホール２８ａが形成されている。このコンタクトホール２８ａは、ドレイン電極２６を露出させるために形成されている。また、平坦化膜２８の表面上には、ＩＴＯ（酸化インジウムスズ）などの透明電極からなる画素電極２９ａ（２９ｂ）が形成されている。なお、画素電極２９ａ（２９ｂ）は、本発明の「第１（２）画素電極」の一例である。この画素電極２９ａ（２９ｂ）は、コンタクトホール２８ａを介してドレイン電極２６と接続されている。
【００２７】
また、画素電極２９ａ（２９ｂ）の表面上には、配向膜３０ａが形成されている。また、配向膜３０ａと対向するように、液晶層１１ａ（１１ｂ）を挟んで対向基板１０ａ（１０ｂ）が配置されている。また、第１実施形態では、対向基板１０ａの表面上には、カラーフィルタ１３およびブラックマトリクス１４が形成されている一方、対向基板１０ｂの表面上には、カラーフィルタおよびブラックマトリクスが形成されず、共通電極３０ｂおよび３１ｂが形成されている。なお、共通電極３１ａおよび共通電極３１ｂは、それぞれ、本発明の「第１共通電極」および「第２共通電極」の一例である。また、カラーフィルタ１３およびブラックマトリクス１４の液晶層１１ａ側の表面上には、共通電極３１ａおよび配向膜３０ｂが形成されている。これにより、縦電界モードの液晶パネルが構成される。また、基板１ｂのバックライト１６側には、偏光板１５ｂが形成されている。
【００２８】
また、液晶パネル１００ａの基板１ａと、偏光板９の一方の面とは、樹脂接着剤１２ａにより貼り合わされるとともに、液晶パネル１００ｂの対向基板１０ｂと、偏光板９の他方の面とは、樹脂接着剤１２ｂにより貼り合わされている。
【００２９】
第１実施形態では、上記のように、液晶層１１ａと、カラーフィルタ１３およびブラックマトリクス１４のいずれかを含む液晶パネル１００ａと、液晶層１１ｂを含み、カラーフィルタおよびブラックマトリクスを含まない液晶パネル１００ｂとを備えることによって、液晶パネル１００ｂにカラーフィルタやブラックマトリクスが設けられている場合と異なり、液晶パネル１００ａと液晶パネル１００ｂとがずれた状態で重ね合わされても、液晶パネル１００ａと液晶パネル１００ｂとを透過する光が干渉するのを抑制することができる。これにより、液晶パネル１００ａと液晶パネル１００ｂとを重ね合わせる構成においても、表示部２に表示される画像にモアレが発生するのを抑制することができる。また、カラーフィルタおよびブラックマトリクスを含まずに液晶層１１ｂを含む液晶パネル１００ｂを備えることによって、第２液晶パネルにカラーフィルタおよびブラックマトリクスを設けない分、液晶パネル１００ｂの遮光領域が小さくなるので、液晶パネル１００ｂを透過する光の透過率を大きくすることができる。
【００３０】
また、第１実施形態では、上記のように、液晶パネル１００ａと偏光板９とを樹脂接着剤１２ａにより接着し、液晶パネル１００ｂと偏光板９とを樹脂接着剤１２ｂにより接着することによって、偏光板９と液晶パネル１００ａとを樹脂接着剤１２ａにより固定することができるとともに、偏光板９と液晶パネル１００ｂとを樹脂接着剤１２ｂにより固定することができる。これにより、液晶パネル１００ａと液晶パネル１００ｂとを重ね合わせた状態で固定することができる。
【００３１】
また、第１実施形態では、上記のように、偏光板１５ａおよび偏光板１５ｂの偏光軸を偏光板９の偏光軸と垂直に交差させることによって、偏光板９と偏光板１５ａとをクロスニコルの状態に配置することができるとともに、偏光板９と偏光板１５ｂとをクロスニコルの状態に配置することができるので、偏光板１５ｂを透過した光を偏光板９で遮光することができるとともに、偏光板９を透過した光を偏光板１５ａでさらに遮光することができる。これにより、液晶パネル１００ａおよび液晶パネル１００ｂを透過する光の遮光性能を向上させることができる。
【００３２】
また、第１実施形態では、上記のように、液晶パネル１００ａの画素７を３つの副画素７ａで構成し、３つの副画素７ａからなる画素７毎に、１つの画素７ｂを配置することによって、３つの副画素７ａに、たとえば、赤（Ｒ）、緑（Ｇ）、青（Ｂ）のカラーフィルタを設けることによって、加法混色によりカラー画像を表示することができる。
【００３３】
（第１実施形態の変形例）
図５は、本発明の第１実施形態の変形例による液晶表示装置の拡大断面図である。図５を参照して、この第１実施形態の変形例による液晶表示装置１０１では、上記第１実施形態と異なり、液晶パネル１００ｂの副画素（画素電極）７ｃを、液晶パネル１００ａの副画素７ａに対応する領域毎に配置してもよい。
【００３４】
なお、第１実施形態の変形例による液晶表示装置１０１のその他の構成および効果は、上記第１実施形態と同様である。
【００３５】
（第２実施形態）
図６は、本発明の第２実施形態による液晶表示装置の画素（副画素）の断面図である。図６を参照して、この第２実施形態では、上記した第１実施形態とは異なり、液晶パネル１００ａの基板１ａと液晶パネル１００ｂの基板１ｂとが樹脂接着剤１２ａ、偏光板９および樹脂接着剤１２ｂを挟んで対向するように貼り合わせた場合について説明する。
【００３６】
この第２実施形態による液晶表示装置１００では、図６に示すように、基板１ａは、液晶層１１ａの液晶パネル１００ｂ側に配置され、基板１ｂは、液晶層１１ｂの液晶パネル１００ａ側に配置されている。この液晶パネル１００ａの基板１ａと、偏光板９の一方の面とは、樹脂接着剤１２ａにより貼り合わされている。また、液晶パネル１００ｂの基板１ｂと、偏光板９の他方の面とは、樹脂接着剤１２ｂにより貼り合わされている。これにより、液晶パネル１００ａと液晶パネル１００ｂとが、樹脂接着剤１２ａ、偏光板９および樹脂接着剤１２ｂを挟んで互いに対向するように貼り合わされる。
【００３７】
なお、第２実施形態のその他の構成は、上記した第１実施形態と同様である。
【００３８】
第２実施形態では、上記のように、基板１ａを液晶層１１ａの液晶パネル１００ｂ側に配置し、基板１ｂを液晶層１１ｂの液晶パネル１００ａ側に配置することによって、基板１ａの薄膜トランジスタ２２と、基板１ｂの薄膜トランジスタ２２との距離を小さくすることができるので、たとえば、基板１ａの薄膜トランジスタ２２と、基板１ｂの薄膜トランジスタ２２とに配線を設けた場合に、基板１ａの薄膜トランジスタ２２と、基板１ｂの薄膜トランジスタ２２とに接続する配線を短くすることができる。
【００３９】
また、第２実施形態のその他の効果は、上記した第１実施形態と同様である。
【００４０】
（第３実施形態）
図７は、本発明の第３実施形態による液晶表示装置の画素（副画素）の断面図である。図７を参照して、この第３実施形態では、上記した第１実施形態とは異なり、液晶パネル１００ａ（１００ｂ）の薄膜トランジスタ２２が設けられる基板１ａ（１ｂ）上に画素電極２９ａ（２９ｂ）および共通電極３１ａ（３１ｂ）を設けた場合について説明する。
【００４１】
この第３実施形態による液晶表示装置１００では、図７に示すように、画素電極２９ａ（２９ｂ）の表面上には、絶縁膜３２が形成されている。この絶縁膜３２の表面上には、共通電極３１ａ（３１ｂ）が形成されている。共通電極３１ａ（３１ｂ）には、複数のスリット（図示せず）が形成されている。共通電極３１ａ（３１ｂ）の表面上には、配向膜３０ａが形成されている。これにより、横電界モードの液晶パネル１００ａ（１００ｂ）が構成される。
【００４２】
また、第３実施形態では、液晶表示パネル１００ａの偏光板１５ａと対向基板１０ａとの間には、酸化インジウムスズなどからなる静電気を逃がすためのＩＴＯ膜３３が形成されている。なお、ＩＴＯ膜３３は、本発明の「導電層」の一例である。これにより、液晶パネル１００ａの対向基板１０ａに帯電した静電気を逃がすことが可能である。
【００４３】
なお、第３実施形態のその他の構成は、上記した第１実施形態と同様である。
【００４４】
第３実施形態では、上記のように、横電界モードの対向基板１０ａの液晶層１１ａ側に電極が形成されないため、対向基板１０ａにたまった静電気を逃がすことが難しいが、対向基板１０ａの液晶層１１ａ側とは反対側の表面に静電気を逃がすためのＩＴＯ膜３３を備えることによって、液晶パネル１００ａの対向基板１０ａに帯電した静電気を逃がすことができるので、静電気に起因する液晶表示装置１００の動作不良を抑制することができる。
【００４５】
また、第３実施形態では、上記のように、基板１ａの薄膜トランジスタ２２側の表面上に設けられた画素電極２９ａおよび共通電極３１ａと、基板１ｂの薄膜トランジスタ２２側の表面上に設けられた画素電極２９ｂおよび共通電極３１ｂとを備えることによって、横電界モードの液晶パネル１００ａ（１００ｂ）を構成することができる。
【００４６】
また、第３実施形態のその他の効果は、上記した第１実施形態と同様である。
【００４７】
（第４実施形態）
図８は、本発明の第４実施形態による液晶表示装置の画素（副画素）の断面図である。図８を参照して、この第４実施形態では、上記した第３実施形態とは異なり、液晶パネル１００ａの基板１ａと液晶パネル１００ｂの基板１ｂとが樹脂接着剤１２ａ、偏光板９および樹脂接着剤１２ｂを挟んで対向するように貼り合わされる場合について説明する。
【００４８】
この第４実施形態による液晶表示装置１００では、図８に示すように、液晶パネル１００ａの基板１ａと、偏光板９の一方の面とは、樹脂接着剤１２ａにより貼り合わされている。また、液晶パネル１００ｂの基板１ｂと、偏光板９の他方の面とは、樹脂接着剤１２ｂにより貼り合わされている。これにより、液晶パネル１００ａと液晶パネル１００ｂとが、樹脂接着剤１２ａ、偏光板９および樹脂接着剤１２ｂを挟んで互いに対向するように貼り合わされる。また、ＩＴＯ膜３３は、液晶パネル１００ａの偏光板１５ａと対向基板１０ａとの間、ならびに液晶パネル１００ｂの対向基板１０ｂと偏光板１５ｂとの間に形成されている。また、液晶パネル１００ａの対向基板１０ａ側のみでなく、液晶パネル１００ｂの対向基板１０ｂ側にも静電気を逃がすためのＩＴＯ膜３３を備えることによって、液晶パネル１００ａ（１００ｂ）の対向基板１０ａ（１０ｂ）に帯電した静電気を逃がすことができるので、上記した第３実施形態に比べて、静電気に起因する液晶表示装置１００の動作不良をより抑制することが可能である。
【００４９】
なお、第４実施形態のその他の効果は、上記した第３実施形態と同様である。
【００５０】
（第５実施形態）
図９は、本発明の第５実施形態による液晶表示装置の画素（副画素）の断面図である。図９を参照して、この第５実施形態では、上記した第４実施形態とは異なり、縦電界モードの液晶パネル１００ａと、横電界モードの液晶パネル１００ｂとが重ね合わされた場合について説明する。
【００５１】
この第５実施形態による液晶表示装置１００では、図９に示すように、液晶パネル１００ａは、上記第１および第２実施形態と同様に縦電界モードに構成され、液晶パネル１００ｂは、上記第３および第４実施形態と同様に横電界モードに構成されている。この液晶パネル１００ａの基板１ａと、偏光板９の一方の面とは、樹脂接着剤１２ａにより貼り合わされている。また、液晶パネル１００ｂの基板１ｂと、偏光板９の他方の面とは、樹脂接着剤１２ｂにより貼り合わされている。これにより、縦電界モードの液晶パネル１００ａと、横電界モードの液晶パネル１００ｂとが、樹脂接着剤１２ａ、偏光板９および樹脂接着剤１２ｂを挟んで互いに対向するように貼り合わされる。
【００５２】
また、第５実施形態では、液晶パネル１００ａの対向基板１０ａと共通電極３１ａとの間には、カラーフィルタ１３およびブラックマトリクス１４が設けられている一方、液晶パネル１００ｂの対向基板１０ｂと液晶層１１ｂとの間には、カラーフィルタおよびブラックマトリクスが設けられていない。
【００５３】
なお、第５実施形態のその他の構成は、上記した第４実施形態と同様である。
【００５４】
第５実施形態では、上記のように、液晶パネル１００ｂの基板１ｂ上に、画素電極２９ｂおよび共通電極３１ｂを設けることによって、液晶パネル１００ｂを横電界モードで構成することができるので、視野角を大きくすることができる。
【００５５】
なお、第５実施形態のその他の効果は、上記した第４実施形態と同様である。
【００５６】
（第６実施形態）
図１０は、本発明の第６実施形態による液晶表示装置の画素（副画素）の断面図である。図１０を参照して、この第６実施形態では、上記した第５実施形態とは異なり、横電界モードの液晶パネル１００ａと、縦電界モードの液晶パネル１００ｂとが樹脂接着剤１２ａ、偏光板９および樹脂接着剤１２ｂを挟んで対向するように貼り合わされた場合について説明する。
【００５７】
この第６実施形態による液晶表示装置１００では、図１０に示すように、液晶パネル１００ａは、上記第３および第４実施形態と同様に横電界モードに構成され、液晶パネル１００ｂは、上記第１および第２実施形態と同様に縦電界モードに構成されている。この液晶パネル１００ａの基板１ａと、偏光板９の一方の面とは、樹脂接着剤１２ａにより貼り合わされている。また、液晶パネル１００ｂの基板１ｂと、偏光板９の他方の面とは、樹脂接着剤１２ｂにより貼り合わされている。これにより、横電界モードの液晶パネル１００ａと、縦電界モードの液晶パネル１００ｂとが、樹脂接着剤１２ａ、偏光板９および樹脂接着剤１２ｂを挟んで互いに対向するように貼り合わされる。
【００５８】
また、第６実施形態では、液晶パネル１００ａの対向基板１０ａと液晶層１１ａとの間には、カラーフィルタ１３およびブラックマトリクス１４が設けられている一方、液晶パネル１００ｂの対向基板１０ｂと共通電極３１ｂとの間には、カラーフィルタおよびブラックマトリクスが設けられていない。
【００５９】
なお、第６実施形態のその他の構成は、上記した第５実施形態と同様である。
【００６０】
第６実施形態では、上記のように、液晶パネル１００ａの基板１ａ上に、画素電極２９ａおよび共通電極３１ａを設けることによって、液晶パネル１００ａを横電界モードで構成することができるので、視野角を大きくすることができる。
【００６１】
なお、第６実施形態のその他の効果は、上記した第５実施形態と同様である。
【００６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６３】
たとえば、上記第１〜第６実施形態では、液晶パネル１００ａにカラーフィルタおよびブラックマトリクスを設け、液晶パネル１００ｂにカラーフィルタおよびブラックマトリクスを設けない例を示したが、本発明はこれに限らず、液晶パネル１００ａにカラーフィルタおよびブラックマトリクスを設けずに、液晶パネル１００ｂにカラーフィルタおよびブラックマトリクスを設けてもよい。また、液晶パネル１００ｂに対向するようにバックライト１６が設けられ、バックライト１６は、液晶パネル１００ｂ側から液晶パネル１００ａ側に向けて光が出射されるように構成されている例を示したが、バックライト１６が液晶パネル１００ａ側の液晶パネル１００ｂとは反対側に設けられていてもよい。
【００６４】
また、上記第３〜第５実施形態では、静電気を逃がすための導電層をＩＴＯ膜により形成する例を示したが、本発明はこれに限らず、静電気を逃がすことのできる材質であればＩＴＯ以外の材料により形成することが可能であり、対向基板と接着されている偏光板の表面に導電性を持たせたものでもよい。さらに、上記した第３実施形態では、ＩＴＯ膜３３は、液晶表示パネル１００ａの対向基板１０ａと偏光板１５ａとの間に形成されている例を示したが、液晶パネル１００ｂの対向基板１０ｂと偏光板１５ｂとの間にもＩＴＯ膜３３が形成されてもよい。
【００６５】
また、上記第１〜第６実施形態では、液晶パネル１００ａの画素７に３つの副画素７ａを設ける例を示したが、本発明はこれに限らず、液晶パネル１００ａの画素７の副画素７ａを２つまたは４つ以上にしてもよい。
【００６６】
また、上記第１〜第６実施形態では、赤（Ｒ）、緑（Ｇ）および青（ｂ）からなるカラーフィルタ１３を用いる例を示したが、本発明はこれに限らず、シアン、マゼンダ、イエローなどのカラーフィルタを用いてもよいし、２色または４色以上のカラーフィルタを用いてもよい。
【００６７】
また、上記第１〜第６実施形態では、液晶パネル１００ａの基板１ａと液晶パネル１００ｂの対向基板１０ｂ、あるいは液晶パネル１００ａの基板１ａと液晶パネル１００ｂの基板１ｂとを向かい合わせて貼り合わせた例を示したが、本発明はこれに限らず、液晶パネル１００ａの対向基板１０ａと液晶パネル１００ｂの対向基板１０ｂ、あるいは液晶パネル１００ａの対向基板１０ａと液晶パネル１００ｂの基板１ｂとを向かい合わせて貼り合わせてもよい。
【図面の簡単な説明】
【００６８】
【図１】本発明の第１実施形態による液晶表示装置の平面図である。
【図２】本発明の第１実施形態による液晶表示装置の拡大断面図である。
【図３】本発明の第１実施形態による液晶表示装置の偏光板の偏光方向を説明するための図である。
【図４】本発明の第１実施形態による液晶表示装置の画素（副画素）の断面図である。
【図５】本発明の第１実施形態の変形例による液晶表示装置の拡大断面図である。
【図６】本発明の第２実施形態による液晶表示装置の画素（副画素）の断面図である。
【図７】本発明の第３実施形態による液晶表示装置の画素（副画素）の断面図である。
【図８】本発明の第４実施形態による液晶表示装置の画素（副画素）の断面図である。
【図９】本発明の第５実施形態による液晶表示装置の画素（副画素）の断面図である。
【図１０】本発明の第６実施形態による液晶表示装置の画素（副画素）の断面図である。
【符号の説明】
【００６９】
１ａ      基板（第１基板）
１ｂ      基板（第２基板）
７        画素（第１画素）
７ａ      副画素
７ｂ      画素（第２画素）
９        偏光板（第１偏光板）
１０ａ    対向基板
１０ｂ    対向基板
１１ａ    液晶層（第１液晶層）
１１ｂ    液晶層（第２液晶層）
１２ａ    樹脂接着剤（第１接着層）
１２ｂ    樹脂接着剤（第２接着層）
１３      カラーフィルタ
１４      ブラックマトリクス
１５ａ    偏光板（第２偏光板）
１５ｂ    偏光板（第３偏光板）
２２      薄膜トランジスタ（第１薄膜トランジスタ、第２薄膜トランジスタ）
２９ａ    画素電極（第１画素電極）
２９ｂ    画素電極（第２画素電極）
３１ａ    共通電極（第１共通電極）
３１ｂ    共通電極（第２共通電極）
３３      ＩＴＯ膜（導電層）
１００    液晶表示装置
１００ａ  液晶パネル（第１液晶パネル）
１００ｂ  液晶パネル（第２液晶パネル）
１０１    液晶表示装置
【図１】
2010066353.tif 000003
【図２】
2010066353.tif 000004
【図３】
2010066353.tif 000005
【図４】
2010066353.tif 000006
【図５】
2010066353.tif 000007
【図６】
2010066353.tif 000008
【図７】
2010066353.tif 000009
【図８】
2010066353.tif 000010
【図９】
2010066353.tif 000011
【図１０】
2010066353.tif 000012